(57)【要約】【課題】エージング時、ディスク装置からの動作信号が中断した通信中断回数を計数して、その通信中断回数をメモリに記憶し、ディスク装置からの動作信号が中断したとき、ディスク装置を再起動してエージングを続行し、エージング後、エージング時の通信中断回数を表示画面に表示することができるようにする。【解決手段】ディスク装置に制御信号を送信し、ディスク装置からの動作信号を受信して、光ディスクを再生するディスク装置内蔵テレビ装置において、エージング時、光ディスクを再生し、ディスク装置からの所定の動作信号が中断した通信中断回数を計数して、その通信中断回数を不揮発性メモリに記憶し、ディスク装置を再起動してエージングを続行し、エージング後、エージング時の通信中断回数を表示画面に表示するようにする。【選択図】　　　　図４
2004039190.tif 000002
【特許請求の範囲】
【請求項１】
ディスク装置に制御信号を送信し、ディスク装置からの動作信号を受信して、光ディスクを再生するディスク装置内蔵テレビ装置において、ディスク装置の電源をＯＮにしたとき、ディスク装置からのスタンバイ状態を示す動作信号が受信されない場合、或いは光ディスクの再生を指令する制御信号をディスク装置に送信したとき、ディスク装置からの光ディスク再生中を示す動作信号が受信されない場合、或いは光ディスクの再生中に、光ディスクの再生を停止する制御信号をディスク装置に送信していないにも拘わらず、ディスク装置からの光ディスク再生中を示す動作信号が中断した場合、ディスク装置からの動作信号が中断したとして通信中断回数を計数する計数手段と、前記計数手段により計数された通信中断回数を記憶する不揮発性メモリと、ディスク装置の電源をＯＦＦにした後、再度ディスク装置の電源をＯＮにして、ディスク装置を再起動する再起動手段と、前記不揮発性メモリに記憶されている通信中断回数を読み出して、通信中断回数が０でない場合、通信中断回数が０である場合の表示色と異なる表示色で、通信中断回数を表示画面に表示する表示手段とを備え、エージング時、光ディスクを再生し、前記計数手段によりディスク装置からの動作信号が中断した通信中断回数を計数して、その通信中断回数を前記不揮発性メモリに記憶し、ディスク装置からの動作信号が中断したとき、前記再起動手段によりディスク装置を再起動してエージングを続行し、エージング後、前記表示手段により前記不揮発性メモリに記憶されている通信中断回数を読み出して、エージング時の通信中断回数を表示画面に表示するようにしたことを特徴とするディスク装置内蔵テレビ装置。
【請求項２】
ディスク装置に制御信号を送信し、ディスク装置からの動作信号を受信して、光ディスクを再生するディスク装置内蔵テレビ装置において、エージング時、光ディスクを再生し、ディスク装置からの所定の動作信号が中断した通信中断回数を計数する計数手段と、前記計数手段により計数された通信中断回数を記憶する不揮発性メモリと、エージング後、前記不揮発性メモリに記憶されている通信中断回数を読み出して、エージング時の通信中断回数を表示画面に表示する表示手段とを備えたことを特徴とするディスク装置内蔵テレビ装置。
【請求項３】
前記計数手段は、ディスク装置の電源をＯＮにしたとき、ディスク装置からのスタンバイ状態を示す動作信号が受信されない場合、ディスク装置からの動作信号が中断したとして通信中断回数を計数する計数手段であることを特徴とする請求項２記載のディスク装置内蔵テレビ装置。
【請求項４】
前記計数手段は、光ディスクの再生を指令する制御信号をディスク装置に送信したとき、ディスク装置からの光ディスク再生中を示す動作信号が受信されない場合、ディスク装置からの動作信号が中断したとして通信中断回数を計数する計数手段であることを特徴とする請求項２記載のディスク装置内蔵テレビ装置。
【請求項５】
前記計数手段は、光ディスクの再生中に、光ディスクの再生を停止する制御信号をディスク装置に送信していないにも拘わらず、ディスク装置からの光ディスク再生中を示す動作信号が中断した場合、ディスク装置からの動作信号が中断したとして通信中断回数を計数する計数手段であることを特徴とする請求項２記載のディスク装置内蔵テレビ装置。
【請求項６】
前記表示手段は、通信中断回数が０でない場合、通信中断回数が０である場合の表示色と異なる表示色で、通信中断回数を表示画面に表示する表示手段であることを特徴とする請求項２記載のディスク装置内蔵テレビ装置。
【請求項７】
ディスク装置を再起動する再起動手段を備え、ディスク装置からの所定の動作信号が中断したとき、ディスク装置を再起動して、エージングを続行するようにしたことを特徴とする請求項２記載のディスク装置内蔵テレビ装置。
【請求項８】
前記再起動手段は、ディスク装置の電源をＯＦＦにした後、再度ディスク装置の電源をＯＮにして、ディスク装置を再起動する再起動手段であることを特徴とする請求項７記載のディスク装置内蔵テレビ装置。
【請求項９】
ディスク装置に制御信号を送信し、ディスク装置からの動作信号を受信して、光ディスクを再生するディスク装置内蔵テレビ装置のエージング方法において、エージングを開始したとき、不揮発性メモリに記憶されている通信中断回数をクリアするステップと、ディスク装置の電源をＯＮにしたとき、ディスク装置からのスタンバイ状態を示す動作信号が受信されない場合、通信中断回数を１加算して不揮発性メモリに記憶して、ディスク装置を再起動するステップと、光ディスクの再生を指令する制御信号をディスク装置に送信したとき、ディスク装置からの光ディスク再生中を示す動作信号が受信されない場合、通信中断回数を１加算して不揮発性メモリに記憶して、ディスク装置を再起動するステップと、光ディスクの再生中に、光ディスクの再生を停止する制御信号をディスク装置に送信していないにも拘わらず、ディスク装置からの光ディスク再生中を示す動作信号が中断した場合、通信中断回数を１加算して不揮発性メモリに記憶して、ディスク装置を再起動するステップと、エージング後、エージング時の通信中断回数の表示が指令されたとき、光ディスクの再生を停止して、不揮発性メモリに記憶されている通信中断回数を表示画面に表示するステップとを有することを特徴とするディスク装置内蔵テレビ装置のエージング方法。
【発明の詳細な説明】
【０００１】
【発明の属する技術分野】本発明は、ＤＶＤ（Ｄｉｇｉｔａｌ　Ｖｅｒｓａｔｉｌｅ　Ｄｉｓｃ）等の光ディスクを再生するディスク装置内蔵テレビ装置に係り、特にテレビ装置からの制御信号によりディスク装置を所定動作させるディスク装置内蔵テレビ装置及びそのエージング方法に関する。
【０００２】
【従来の技術】従来の技術は、例えば、特開平１０−１４５６９７号公報に記載されているように、映像信号又は同期信号が存在しない区間をエージング時として、映像表示装置のエージングを行っている時間の経過を計測して、エージングの経過時間の積算時間を不揮発性メモリに記憶し、エージングの経過時間を表示画面に表示して、故障が発生した時点までのエージング経過時間を知ることができるようにしたものがあった。
【０００３】また、例えば、特開２００１−３０５１９５号公報に記載されているように、液晶モジュールのエージング時に実行したクロックＯＮ／ＯＦＦ回路、電源ＯＮ／ＯＦＦ回路等のＯＮ時間、ＯＦＦ時間及びＯＮ／ＯＦＦ回数等をメモリに記憶して、途中でエージングを中断した場合、エージングの中断前のデータを表示画面に表示して、エージング時に実行したクロックＯＮ／ＯＦＦ回路、電源ＯＮ／ＯＦＦ回路等のＯＮ時間、ＯＦＦ時間及びＯＮ／ＯＦＦ回数等を知ることができるようにしたものがあった。
【０００４】
【発明が解決しようとする課題】しかしながら、従来の技術で述べたもののうち前者においては、映像信号又は同期信号が存在しない区間をエージング時として、映像表示装置のエージングを行っている時間の経過を計測して、エージングの経過時間の積算時間を不揮発性メモリに記憶し、エージングの経過時間を表示画面に表示して、故障が発生した時点までのエージング経過時間を知ることができたが、装置の故障でなく何らかの外的要因により一時的に動作が停止した場合、エージングを続行することができないという問題点があった。
【０００５】また、後者においては、液晶モジュールのエージング時に実行したクロックＯＮ／ＯＦＦ回路、電源ＯＮ／ＯＦＦ回路等のＯＮ時間、ＯＦＦ時間及びＯＮ／ＯＦＦ回数等をメモリに記憶して、途中でエージングを中断した場合、エージングの中断前のデータを表示画面に表示して、エージング時に実行したクロックＯＮ／ＯＦＦ回路、電源ＯＮ／ＯＦＦ回路等のＯＮ時間、ＯＦＦ時間及びＯＮ／ＯＦＦ回数等を知ることができたが、何らかの外的要因により一時的に誤動作し、その後正常動作している場合、その誤動作の発生を知ることができないという問題点があった。
【０００６】本発明は上記の点に鑑みてなされたものであり、エージング時、ディスク装置からの動作信号が中断した通信中断回数を計数して、その通信中断回数をメモリに記憶し、ディスク装置からの動作信号が中断したとき、ディスク装置を再起動してエージングを続行し、エージング後、エージング時の通信中断回数を表示画面に表示することができるディスク装置内蔵テレビ装置及びそのエージング方法を提供しようとするものである。
【０００７】
【課題を解決するための手段】上記目的を達成するため本発明においては、ディスク装置に制御信号を送信し、ディスク装置からの動作信号を受信して、光ディスクを再生するディスク装置内蔵テレビ装置において、エージング時、光ディスクを再生し、ディスク装置からの所定の動作信号が中断した通信中断回数を計数する計数手段と、前記計数手段により計数された通信中断回数を記憶する不揮発性メモリと、エージング後、前記不揮発性メモリに記憶されている通信中断回数を読み出して、エージング時の通信中断回数を表示画面に表示する表示手段とを備える。
【０００８】ディスク装置の電源をＯＮにしたとき、ディスク装置からのスタンバイ状態を示す動作信号が受信されない場合、ディスク装置からの動作信号が中断したとして通信中断回数を計数するようにする。
【０００９】また、光ディスクの再生を指令する制御信号をディスク装置に送信したとき、ディスク装置からの光ディスク再生中を示す動作信号が受信されない場合、ディスク装置からの動作信号が中断したとして通信中断回数を計数するようにする。
【００１０】また、光ディスクの再生中に、光ディスクの再生を停止する制御信号をディスク装置に送信していないにも拘わらず、ディスク装置からの光ディスク再生中を示す動作信号が中断した場合、ディスク装置からの動作信号が中断したとして通信中断回数を計数するようにする。
【００１１】通信中断回数の表示は、通信中断回数が０でない場合、通信中断回数が０である場合の表示色と異なる表示色で表示画面に表示するようにするとよい。
【００１２】また、ディスク装置を再起動する再起動手段を備え、ディスク装置からの所定の動作信号が中断したとき、ディスク装置を再起動して、エージングを続行するようにする。
【００１３】ディスク装置の再起動は、ディスク装置の電源をＯＦＦにした後、再度ディスク装置の電源をＯＮにして、ディスク装置を再起動するようにするとよい。
【００１４】これらの手段により、エージング時、ディスク装置からの動作信号が中断した通信中断回数を計数して、その通信中断回数をメモリに記憶し、ディスク装置からの動作信号が中断したとき、ディスク装置を再起動してエージングを続行し、エージング後、エージング時の通信中断回数を表示画面に表示することができる。
【００１５】
【発明の実施の形態】以下、適宜図面を参照しながら本発明の実施の形態を詳述する。図１は本発明の実施の形態に係るディスク装置内蔵テレビ装置の構成を示すブロック図であり、図２は本発明の実施の形態に係るディスク装置内蔵テレビ装置の通信中断回数の表示例を示す図であり、図３は本発明の実施の形態に係るディスク装置内蔵テレビ装置のエージング工程を示す説明図であり、図４は本発明の実施の形態に係るディスク装置内蔵テレビ装置のテレビ装置の動作を示すフローチャートであり、図５は本発明の実施の形態に係るディスク装置内蔵テレビ装置のディスク装置の動作を示すフローチャートであり、図６は本発明の実施の形態に係るディスク装置内蔵テレビ装置のエージング方法を示すフローチャートである。
【００１６】まず、図１の本発明の実施の形態に係るディスク装置内蔵テレビ装置の構成を示すブロック図を基に説明する。
【００１７】ディスク装置内蔵テレビ装置１のテレビ装置１０は、テレビ装置１０のシステム全体を制御するマイコン１１と、ディスク装置２０のＩ／Ｏ（Ｉｎｐｕｔ／Ｏｕｔｐｕｔ）ポート２２と接続され、ディスク装置２０のマイコン２１へ動作を指令する制御信号を送信し、ディスク装置２０のマイコン２１から送信された動作状態を示す動作信号を受信するＩ／Ｏポート１２と、ディスク装置２０に供給する電源のＯＮ／ＯＦＦ制御をする電源制御回路１３と、ディスク装置２０からの通信中断回数を記憶する不揮発性メモリであるＥＥＰＲＯＭ（Ｅｌｅｃｔｒｉｃａｌｌｙ　Ｅｒａｓａｂｌｅ　ａｎｄ　ＰｒｏｇｒａｍｍａｂｌｅＲｅａｄ‐Ｏｎｌｙ　Ｍｅｍｏｒｙ）１４と、映像信号に文字信号を重畳するＯＳＤ（Ｏｎ−Ｓｃｒｅｅｎ　Ｃｈａｒａｃｔｅｒ　Ｄｉｓｐｌａｙ）回路１５と、ＯＳＤ回路１５から送出された映像信号を画像として表示するＣＲＴ（Ｃａｔｈｏｄｅ−Ｒａｙ　Ｔｕｂｅ）１６と、リモコン装置３０から送信された赤外線信号のリモコン信号を受信して、所定の電気信号に変換するリモコン受信部１７とで構成されている。
【００１８】また、ディスク装置内蔵テレビ装置１のディスク装置２０は、ディスク装置２０のシステム全体を制御するマイコン２１と、テレビ装置１０のＩ／Ｏポート１２と接続され、テレビ装置１０のマイコン１１から送信された動作を指令する制御信号を受信し、テレビ装置１０のマイコン１１へ動作状態を示す動作信号を送信するＩ／Ｏポート２２と、光ディスク（図示せず）から光学的に読み出された映像音声信号を復調し、復調された映像音声信号の誤りを訂正し、映像信号と音声信号とをデコードして、光ディスクに記録されている映像信号と音声信号とを再生する再生回路２３とで構成されている。
【００１９】以上のように構成されたディスク装置内蔵テレビ装置について、以下その動作について説明する。
【００２０】リモコン装置３０の操作キーの操作によりディスク装置内蔵テレビ装置を検査するファクトリモードが選択されると、マイコン１１は、ファクトリモードのプログラムを実行して、ＥＥＰＲＯＭ１４に記憶されている通信中断回数をクリアし、電源制御回路１３に制御信号を送出して、ディスク装置２０の電源をＯＮにする。
【００２１】ディスク装置２０の電源がＯＮにされると、ディスク装置２０のマイコン２１は、動作指令待ちのスタンバイ状態を示す動作信号、即ちスタンバイ信号をテレビ装置に送信する。テレビ装置１０のマイコン１１は、ディスク装置２０のマイコン２１から送信されたスタンバイ信号を受信すると、光ディスクの再生を指令するＰＬＡＹコードの制御信号をディスク装置２０のマイコン２１に送信する。しかし、テレビ装置１０のマイコン１１は、ディスク装置２０からのスタンバイ信号が受信されない場合、通信中断回数を１つ加算して、その通信中断回数をＥＥＰＲＯＭ１４に記憶し、電源制御回路１３に制御信号を送出して、ディスク装置２０の電源をＯＦＦにし、再度電源制御回路１３に制御信号を送出して、ディスク装置２０の電源をＯＮにし、ディスク装置２０を再起動する。そして、ディスク装置２０からのスタンバイ信号が受信されるまで、ディスク装置２０の再起動が繰り返される。
【００２２】ディスク装置２０のマイコン２１は、テレビ装置１０のマイコン１１から送信された光ディスクの再生を指令するＰＬＡＹコードの制御信号を受信すると、光ディスクの再生を開始して、光ディスク再生中を示す動作信号のＰＬＡＹ信号をテレビ装置１０のマイコン１１へ送信する。テレビ装置１０のマイコン１１は、ディスク装置２０のマイコン２１から送信されたＰＬＡＹ信号が受信されているとき、光ディスクが再生されていると判断し、ＰＬＡＹ信号が中断したとき、光ディスクの再生が中断したと判断し、通信中断回数を１つ加算して、通信中断回数をＥＥＰＲＯＭ１４に記憶し、電源制御回路１３に制御信号を送出して、ディスク装置２０の電源をＯＦＦにし、再度電源制御回路１３に制御信号を送出して、ディスク装置２０の電源をＯＮにし、ディスク装置２０を再起動して、光ディスクの再生を続行する。
【００２３】そして、エージング後、エージング時の通信中断回数を表示するリモコン装置３０の操作キーが操作されると、ＥＥＰＲＯＭ１４に記憶されている通信中断回数が読み出されて、図２に示すように、通信中断回数がＣＲＴ１６の表示画面に表示される。
【００２４】なお、通信中断回数の表示は、通信中断回数が０でない場合、通信中断回数が０である場合の表示色と異なる表示色で、ＣＲＴ１６の表示画面に表示するようにするとよい。例えば、通信中断回数が０の場合、通信中断回数を白色で表示し、通信中断回数が０でない場合、通信中断回数をマゼンタ色で表示するようにするとよい。
【００２５】これにより、エージング時、光ディスク装置の再生状況を常時監視していなくても、エージング時に光ディスクの再生が中断した場合、ディスク装置を再起動して、光ディスクを再生することができるので、エージング時、ディスク装置内蔵テレビ装置が動作を停止することなく、エージングを続行することができ、エージング後、エージング時の通信中断回数を知ることができる。
【００２６】また、図３の本発明の実施の形態に係るディスク装置内蔵テレビ装置のエージング工程を示す説明図を基に説明する。
【００２７】ディスク装置内蔵テレビ装置は、組立工程Ａにおいて組立が完了すると、リモコン装置の操作キーの操作によりファクトリモードのプログラムの実行が指令され、エージング工程Ｂへ送られる。
【００２８】エージング工程Ｂで、ディクス装置内蔵テレビ装置のテレビ装置のマイコンは、ファクトリモードのプログラムを実行し、ディスク装置に制御信号を送信して、ディスク装置のマイコンから送信された所定の動作信号を受信し、その動作信号が中断したとき、通信中断回数を加算してＥＥＰＲＯＭに記憶し、ディスク装置を再起動して、光ディスクの再生を続行し、エージング工程を終了する。エージングを終了したディスク装置内蔵テレビ装置は、次工程の調整工程Ｃへ送られる。
【００２９】調整工程Ｃで、テレビ装置のＣＲＴの偏向ヨークの取付等が調整された後、リモコン装置の操作キーの操作により通信中断回数の表示が指令されると、ＥＥＰＲＯＭに記憶されているエージング時の通信中断回数がＣＲＴの表示画面に表示される。そして、通信中断回数が０の場合、次工程の検査工程Ｄに送られ、梱包工程Ｅを経て出荷される。しかし、通信中断回数が０でない場合、ディスク装置内蔵テレビ装置は別途検査Ｆに送られて、ディスク装置内蔵テレビ装置に問題がないと判定されると、エージング工程Ｂに再投入され、再度エージングが行われ、ディスク装置内蔵テレビ装置に問題があると判定されると、製造工程から排除される。
【００３０】別途検査の結果、ディスク装置内蔵テレビ装置に問題がないと判定された場合、そのディスク装置内蔵テレビ装置をエージング工程に再投入することにより、エージング時の通信中断回数が０でなかった要因が、再現性の低い外的要因、例えば、ディスク装置内蔵テレビ装置に供給している電源の瞬停等によるものであったディスク装置内蔵テレビ装置は再エージング後に次工程へ送ることができ、ディスク装置内蔵テレビ装置に問題があるものを製造工程から排除することができる。
【００３１】また、図４の本発明の実施の形態に係るディスク装置内蔵テレビ装置のテレビ装置の動作を示すフローチャートを基に説明する。
【００３２】リモコン装置の操作キーの操作によりファクトリモードが選択されると、ステップＳ１からステップＳ２に進み、ＥＥＰＲＯＭに記憶されている通信中断回数がクリアされ、ステップＳ３に進む。
【００３３】ステップＳ３で、ディスク装置の電源がＯＮにされ、ステップＳ４に進む。
【００３４】ステップＳ４で、ディスク装置からのスタンバイ信号が受信されたか否かが判断され、ディスク装置からのスタンバイ信号が受信された場合、ステップＳ６に進み、ディスク装置からのスタンバイ信号が受信されていない場合、ステップＳ５に進む。
【００３５】ステップＳ５で、スタンバイ信号が受信されないので、通信中断回数が１加算されてＥＥＰＲＯＭに記憶され、ディスク装置を再起動するため、ディスク装置の電源がＯＦＦにされて、ステップＳ３に戻る。
【００３６】ステップＳ６で、光ディスクの再生を指令するＰＬＡＹコードの制御信号がディスク装置に送信され、ステップＳ７に進む。
【００３７】ステップＳ７で、光ディスク再生中を示す動作信号のＰＬＡＹ信号がディスク装置から送信され、その信号が受信されたか否かが判断され、ＰＬＡＹ信号が受信された場合、ステップＳ８に進み、ＰＬＡＹ信号が受信されない場合、ステップＳ５に進む。
【００３８】ステップＳ８で、ディスク装置からのＰＬＡＹ信号が中断したか否かが判断され、ＰＬＡＹ信号が中断した場合、ステップＳ５に進み、ＰＬＡＹ信号が中断していない場合、ステップＳ９に進む。
【００３９】ステップＳ９で、通信中断回数を表示するリモコン装置の操作キーが操作されたか否かが判断がされ、通信中断回数を表示するリモコン装置の操作キーが操作された場合、ステップＳ１０に進み、通信中断回数を表示するリモコン装置の操作キーが操作されていない場合、ステップＳ８に戻って、ステップＳ８からステップＳ９のステップを繰り返す。
【００４０】ステップＳ１０で、光ディスクの再生停止を指令するＳＴＯＰコードの制御信号がディスク装置に送信されて、光ディスクの再生が停止され、ディスク装置内蔵テレビ装置のＥＥＰＲＯＭに記憶されている通信中断回数が読み出されて、エージング時の通信中断回数がＣＲＴ画面に表示され、ステップＳ１１に進んでファクトリモードのプログラムを終了する。
【００４１】また、図５の本発明の実施の形態に係るディスク装置内蔵テレビ装置のディスク装置の動作を示すフローチャートを基に説明する。
【００４２】ディスク装置の電源がＯＮにされると、ステップＳ２１からステップＳ２２に進み、スタンバイ信号をテレビ装置へ送信して、ステップＳ２３に進む。
【００４３】ステップＳ２３で、光ディスクの再生を指令するＰＬＡＹコードの制御信号がテレビ装置から送信され、その信号が受信されたか否かが判断され、ＰＬＡＹコードの制御信号が受信された場合、ステップＳ２４に進み、ＰＬＡＹコードの制御信号が受信されていない場合、ＰＬＡＹコードの制御信号が受信されるまで、ステップＳ２３のステップを繰り返す。
【００４４】ステップＳ２４で、光ディスクの再生が開始されて、ステップＳ２５に進む。
【００４５】ステップＳ２５で、光ディスク再生中を示す動作信号のＰＬＡＹ信号をテレビ装置に送信して、ステップＳ２６に進む。
【００４６】ステップＳ２６で、光ディスクの再生停止を指令するＳＴＯＰコードの制御信号がテレビ装置から送信され、その信号が受信されたか否かが判断され、ＳＴＯＰコードの制御信号が受信された場合、ステップＳ２７に進み、ＳＴＯＰコードの制御信号が受信されていない場合、ステップＳ２５に戻り、ステップＳ２５からステップＳ２６のステップを繰り返す。
【００４７】ステップＳ２７で、光ディスクの再生が停止され、ステップＳ２８に進んで処理を終了する。
【００４８】また、図６の本発明の実施の形態に係るディスク装置内蔵テレビ装置のエージング方法を示すフローチャートを基に説明する。
【００４９】ディスク装置内蔵テレビ装置の組立が完了すると、リモコン装置の操作キーの操作によりファクトリモードのプログラムの実行が指令され、ステップＳ３１からステップＳ３２に進み、ディスク装置内蔵テレビ装置がエージング工程へ送られ、ステップＳ３３に進む。
【００５０】ステップＳ３３で、エージング後、通信中断回数を表示するリモコン装置の操作キーの操作により、ディスク装置内蔵テレビ装置のＥＥＰＲＯＭに記憶されている通信中断回数が読み出されて、エージング時の通信中断回数がＣＲＴの表示画面に表示され、ステップＳ３４に進む。
【００５１】ステップＳ３４で、エージング時の通信中断回数が０であるか否かが判断され、通信中断回数が０である場合、ステップＳ３５に進んで、エージング時の通信中断回数が０であったディスク装置内蔵テレビ装置が次工程へ送られ、通信中断回数が０でない場合、ステップＳ３６に進む。
【００５２】ステップＳ３６で、通信中断回数が０でないディスク装置内蔵テレビ装置の不具合内容が別途検査され、ステップＳ３７に進む。
【００５３】ステップＳ３７で、ディスク装置内蔵テレビ装置に問題がないか否かが判断され、ディスク装置内蔵テレビ装置に問題がない場合、ステップＳ３２に戻って、そのディスク装置内蔵テレビ装置がエージング工程に再投入され、ディスク装置内蔵テレビ装置に問題がある場合、ステップＳ３８に進んで、そのディスク装置内蔵テレビ装置が製造工程から排除される。
【００５４】以上、本発明の実施の形態について詳述したが、本発明はこれに限らず、当業者の通常の知識の範囲内でその変形や改良が可能である。例えば、光ディスクを再生するディスク装置を内蔵したディスク装置内蔵テレビ装置について説明したが、ビデオ装置等の映像音声再生装置を内蔵したテレビ装置等にも適用できる。
【００５５】
【発明の効果】以上説明してきたように、本発明によるディスク装置内蔵テレビ装置及びそのエージング方法によれば、エージング時、光ディスクを再生し、ディスク装置の電源をＯＮにしたとき、ディスク装置からのスタンバイ状態を示す動作信号が受信されない場合、或いは光ディスクの再生を指令する制御信号をディスク装置に送信したとき、ディスク装置からの光ディスク再生中を示す動作信号が受信されない場合、或いは光ディスクの再生中に、光ディスクの再生を停止する制御信号をディスク装置に送信していないにも拘わらず、ディスク装置からの光ディスク再生中を示す動作信号が中断した場合、ディスク装置からの動作信号が中断したとして通信中断回数を計数して、計数された通信中断回数を不揮発性メモリに記憶し、ディスク装置からの所定の動作信号が中断したとき、ディスク装置の電源をＯＦＦにした後、再度ディスク装置の電源をＯＮにして、ディスク装置を再起動してエージングを続行し、エージング後、不揮発性メモリに記憶されている通信中断回数を読み出して、エージング時の通信中断回数を表示画面に表示することができる。このことにより、エージング時、ディスク装置からの動作信号が中断した通信中断回数を計数して、その通信中断回数をメモリに記憶し、ディスク装置からの動作信号が中断したとき、ディスク装置を再起動してエージングを続行し、エージング後、エージング時の通信中断回数を表示画面に表示することができる。
【００５６】請求項１記載の発明に係るディスク装置内蔵テレビ装置は、エージング時、ディスク装置の電源をＯＮにしたとき、ディスク装置からのスタンバイ状態を示す動作信号が受信されない場合、或いは光ディスクの再生を指令する制御信号をディスク装置に送信したとき、ディスク装置からの光ディスク再生中を示す動作信号が受信されない場合、或いは光ディスクの再生中に、光ディスクの再生を停止する制御信号をディスク装置に送信していないにも拘わらず、ディスク装置からの光ディスク再生中を示す動作信号が中断した場合、ディスク装置からの動作信号が中断したとして通信中断回数を計数して、その通信中断回数を不揮発性メモリに記憶し、ディスク装置からの動作信号が中断したとき、ディスク装置の電源をＯＦＦにした後、再度ディスク装置の電源をＯＮにして、ディスク装置を再起動してエージングを続行し、エージング後、不揮発性メモリに記憶されている通信中断回数を読み出して、通信中断回数が０でない場合は通信中断回数が０である場合と異なる表示色で、エージング時の通信中断回数を表示画面に表示するようにしている。
【００５７】請求項２記載の発明に係るディスク装置内蔵テレビ装置は、エージング時、光ディスクを再生し、ディスク装置からの所定の動作信号が中断した通信中断回数を計数して、計数された通信中断回数を不揮発性メモリに記憶し、エージング後、不揮発性メモリに記憶されている通信中断回数を読み出して、エージング時の通信中断回数を表示画面に表示することができるようにしている。
【００５８】請求項３記載の発明に係るディスク装置内蔵テレビ装置は、ディスク装置の電源をＯＮにしたとき、ディスク装置からのスタンバイ状態を示す動作信号が受信されない場合、ディスク装置からの動作信号が中断したとして通信中断回数を計数するようにしている。
【００５９】請求項４記載の発明に係るディスク装置内蔵テレビ装置は、光ディスクの再生を指令する制御信号をディスク装置に送信したとき、ディスク装置からの光ディスク再生中を示す動作信号が受信されない場合、ディスク装置からの動作信号が中断したとして通信中断回数を計数するようにしている。
【００６０】請求項５記載の発明に係るディスク装置内蔵テレビ装置は、光ディスクの再生中に、光ディスクの再生を停止する制御信号をディスク装置に送信していないにも拘わらず、ディスク装置からの光ディスク再生中を示す動作信号が中断した場合、ディスク装置からの動作信号が中断したとして通信中断回数を計数するようにしている。
【００６１】請求項６記載の発明に係るディスク装置内蔵テレビ装置は、通信中断回数が０でない場合、通信中断回数が０である場合の表示色と異なる表示色で、通信中断回数を表示画面に表示するようにしている。
【００６２】請求項７記載の発明に係るディスク装置内蔵テレビ装置は、ディスク装置からの所定の動作信号が中断したとき、ディスク装置を再起動して、エージングを続行するようにしている。
【００６３】請求項８記載の発明に係るディスク装置内蔵テレビ装置は、ディスク装置の電源をＯＦＦにした後、再度ディスク装置の電源をＯＮにして、ディスク装置を再起動するようにしている。
【００６４】請求項９記載の発明に係るディスク装置内蔵テレビ装置のエージング方法は、ディスク装置に制御信号を送信し、ディスク装置からの動作信号を受信して、光ディスクを再生するディスク装置内蔵テレビ装置のエージング方法において、エージングを開始したとき、不揮発性メモリに記憶されている通信中断回数をクリアし、ディスク装置の電源をＯＮにしたとき、ディスク装置からのスタンバイ状態を示す動作信号が受信されない場合、通信中断回数を１加算して不揮発性メモリに記憶して、ディスク装置を再起動し、光ディスクの再生を指令する制御信号をディスク装置に送信したとき、ディスク装置からの光ディスク再生中を示す動作信号が受信されない場合、通信中断回数を１加算して不揮発性メモリに記憶して、ディスク装置を再起動し、光ディスクの再生中に、光ディスクの再生を停止する制御信号をディスク装置に送信していないにも拘わらず、ディスク装置からの光ディスク再生中を示す動作信号が中断した場合、通信中断回数を１加算して不揮発性メモリに記憶して、ディスク装置を再起動し、エージング後、エージング時の通信中断回数の表示が指令されたとき、光ディスクの再生を停止して、不揮発性メモリに記憶されている通信中断回数を表示画面に表示するようにしている。
【図面の簡単な説明】
【図１】本発明の実施の形態に係るディスク装置内蔵テレビ装置の構成を示すブロック図である。
【図２】本発明の実施の形態に係るディスク装置内蔵テレビ装置の通信中断回数の表示例を示す図である。
【図３】本発明の実施の形態に係るディスク装置内蔵テレビ装置のエージング工程を示す説明図である。
【図４】本発明の実施の形態に係るディスク装置内蔵テレビ装置のテレビ装置の動作を示すフローチャートである。
【図５】本発明の実施の形態に係るディスク装置内蔵テレビ装置のディスク装置の動作を示すフローチャートである。
【図６】本発明の実施の形態に係るディスク装置内蔵テレビ装置のエージング方法を示すフローチャートである。
【符号の説明】
１　ディスク装置内蔵テレビ装置
１０　テレビ装置
１１　マイコン
１２　Ｉ／Ｏポート
１３　電源制御回路
１４　ＥＥＰＲＯＭ
１５　ＯＳＤ回路
１６　ＣＲＴ
１７　リモコン受信部
２０　ディスク装置
２１　マイコン
２２　Ｉ／Ｏポート
２３　再生回路
３０　リモコン装置
【図１】
2004039190.tif 000003
【図２】
2004039190.tif 000004
【図３】
2004039190.tif 000005
【図４】
2004039190.tif 000006
【図５】
2004039190.tif 000007
【図６】
2004039190.tif 000008